(57)【特許請求の範囲】
【請求項１】
通信ネットワークにおいて利用される方法であって、
１又は複数のセルの識別に応じて、高検出性パイロット構造を用いた高検出性パイロットを送信するための少なくとも１つのシンボルの送信ポジションを決定することと、
前記少なくとも１つのシンボルの送信ポジションにおいて、前記高検出性パイロットを送信することとを実施するために、
コンピュータ読取可能媒体に格納されたコンピュータ実行可能命令群を実行するプロセッサを用いることを備え、
前記少なくとも１つのシンボルは、少なくとも１つのデータ・シンボルである方法。
【請求項２】
前記少なくとも１つのシンボルのうちのその他の部分の間、およびその他のシンボルの間は、送信しないと決定することを更に備える請求項１に記載の方法。
【請求項３】
前記高検出性パイロットを送信するための少なくとも１つのシンボルの送信ポジションを決定することは、セル・グループ識別情報に応じている請求項１に記載の方法。
【請求項４】
前記高検出性パイロットを送信するための少なくとも１つのシンボルの送信ポジションを決定することは、前記通信ネットワークから命令を受信して、前記少なくとも１つのシンボルを使用することを備える請求項１に記載の方法。
【請求項５】
前記高検出性パイロットを送信するための少なくとも１つのシンボルの送信ポジションを決定することは、
前記少なくとも１つのシンボルと第２のシンボルとからなる組合せを生成することと、  前記組合せの一部において、前記高検出性パイロットを送信することと
を備える請求項１に記載の方法。
【請求項６】
無線通信装置であって、
１又は複数のセルの識別に応じて、高検出性パイロット構造を用いた高検出性パイロットを送信するための、少なくとも１つのシンボルの送信ポジションを識別することと、前記少なくとも１つのシンボルの送信ポジションにおいて、無線ネットワークにおける１又は複数の受信機に対して前記高検出性パイロットを送信することとに関連する命令群を保持するメモリと、
前記メモリに結合され、前記メモリに保持された命令群を実行するように構成されたプロセッサと
を備える装置。
【請求項７】
前記少なくとも１つのシンボルの送信ポジションを識別することに関連する命令群はｎ個のスロットのセットの中から選び、前記メモリは更に、選ばれなかったｎ個のスロットの間、送信しないことに関連する命令群を保持する請求項６に記載の無線通信装置。
【請求項８】
前記少なくとも１つのシンボルの送信ポジションを識別することに関連する命令群は、セル・グループ識別情報を利用して、前記少なくとも１つのシンボルの送信ポジションを確認する請求項６に記載の無線通信装置。
【請求項９】
前記メモリは更に、前記無線ネットワークから情報を受信することに関連する命令群を保持し、前記命令群は、前記少なくとも１つのシンボルの識別情報を提供する請求項６に記載の無線通信装置。
【請求項１０】
前記少なくとも１つのシンボルの送信ポジションを識別することに関連する命令群は、前記少なくとも１つのシンボルをランダムに選ぶ請求項６に記載の無線通信装置。
【請求項１１】
前記メモリは更に、前記少なくとも１つのシンボルと第２のシンボルとを組み合わせて、２つのシンボルからなる組合せを生成することと、
前記２つのシンボルの組合せの一部において、前記高検出性パイロットを送信することとに関連する命令群を保持する
請求項６に記載の無線通信装置。
【請求項１２】
通信ネットワークにおいて、高検出性パイロット構造を用いた高検出性パイロットを伝送する無線通信装置であって、  １又は複数のセルの識別に応じて、前記高検出性パイロットの送信のための、少なくとも１つのデータ・シンボルの送信ポジションを識別する手段と、
前記少なくとも１つのデータ・シンボルのポジションにおいて、前記高検出性パイロットを伝送する手段とを備え、
前記高検出性パイロットは、前記送信ポジションの識別のために１又は複数の受信機に伝送される装置。
【請求項１３】
前記高検出性パイロットを伝送する手段は、前記少なくとも１つのデータ・シンボルのうちのその他のポジション、あるいはその他のデータ・シンボルにおいて、前記高検出性パイロットを送信しない請求項１２に記載の無線通信装置。
【請求項１４】
前記高検出性パイロットの送信のための、少なくとも１つのデータ・シンボルの送信ポジションを識別する手段は、前記少なくとも１つのデータ・シンボルにおける複数のポジションとその他のデータ・シンボルとに関連する情報を前記通信ネットワークから取得し、前記複数のポジションのうちの１つを選ぶ請求項１２に記載の無線通信装置。
【請求項１５】
前記高検出性パイロットの送信のための、少なくとも１つのデータ・シンボルの送信ポジションを識別する手段は、セル・グループ識別情報に応じて、前記送信ポジションを識別する請求項１２に記載の無線通信装置。
【請求項１６】
前記少なくとも１つのデータ・シンボルと第２のデータ・シンボルとからなる組合せを生成する手段を更に備え、前記高検出性パイロットを伝送する手段は、前記組合せの一部において前記高検出性パイロットを送信する請求項１２に記載の無線通信装置。
【請求項１７】
コンピュータに、１又は複数のセルの識別に応じて、少なくとも１つのデータ・シンボルにおける送信ポジションを選択させる第１のコード・セットと、
前記コンピュータに、前記送信ポジションにおいて、高検出性パイロット構造を用いた高検出性パイロットを送信させ、前記少なくとも１つのデータ・シンボルのうちのその他のポジションの間は送信しないようにさせる第２のコード・セットと
を備えるコンピュータ読取可能媒体を備え、
前記少なくとも１つのデータ・シンボルは、前記送信ポジションである高検出性パイロット機会としてスケジュールされるコンピュータ・プログラム製品。
【請求項１８】
前記コンピュータ読取可能媒体は更に、前記コンピュータに、前記少なくとも１つのデータ・シンボルを第２のデータ・シンボルと組み合わさせる第３のコード・セットを備える請求項１７に記載のコンピュータ・プログラム製品。
【請求項１９】
モバイル・デバイス位置決定のために、高検出性パイロット構造を用いた高検出性パイロットを送信するように構成された少なくとも１つのプロセッサであって、
１又は複数のセルの識別に応じて、少なくとも１つのデータ・シンボルにおける送信ポジションを選択するための第１のモジュールと、
前記送信ポジションの間に高検出性パイロットを伝送し、前記少なくとも１つのデータ・シンボルのうちのその他のポジションの間はサイレント状態に留まるための第２のモジュールと
を備える少なくとも１つのプロセッサ。
【請求項２０】
前記少なくとも１つのデータ・シンボルと、第２のデータ・シンボルとを組み合わせて、組合せを生成するための第３のモジュールを更に備え、前記第１のモジュールは、前記組合せにおける送信ポジションを選択し、前記第２のモジュールは、前記組合せにおける送信ポジジョンにおいて、前記高検出性パイロットを伝送する請求項１９に記載の少なくとも１つのプロセッサ。
【発明の詳細な説明】
【関連出願】
【０００１】
本願は、“HIGHLY DETECTABLE PILOT STRUCTURE”と題され、２００８年９月２３日に出願された米国仮特許出願６１／０９９３８３号に対する優先権を主張する。上記出願は、本願の譲渡人に譲渡され、参照によって本明細書に明確に組み込まれる。
【技術分野】
【０００２】
以下の説明は、一般的に、無線通信に関し、特に、無線ネットワークにおける位置検出のための高検出性パイロット構造に関する。
【背景技術】
【０００３】
無線通信システムは、（例えば、建物の内部または外部など）ユーザがどこに位置しているかということや、ユーザが（例えば、車や徒歩で）静止しているか移動しているかということと無関係に、様々なタイプの通信を提供するためと、情報を通信するために広く展開されている。例えば、音声、データ、ビデオなどが、無線通信システムによって提供されうる。典型的な無線通信システムやネットワークが、１又は複数の共有リソースに対するアクセスを、複数のユーザに提供しうる。システムは、例えば、周波数分割多重化（ＦＤＭ）、時分割多重化（ＴＤＭ）、符号分割多重化（ＣＤＭ）、直交周波数分割多重化（ＯＦＤＭ）、３ＧＰＰロング・ターム・エボリューション（ＬＴＥ）、あるいはその他のような、様々な多元接続技術を使用しうる。
【０００４】
緊急サービスや、広告などのような、位置ベースの多くのサービスのために、モバイル・ポジショニングが利用される。モバイル位置が、衛星および地上基地局からの測定に基づいて推定されうる。衛星による測定が、地方や郊外エリアにおいて利用されうる。しかし、衛星による測定は、人口密度の高い都会や屋内エリアにおいて、使用不可である可能性が高くなる（あるいは、全く使用不可能である）。したがって、衛星による測定が容易に利用可能ではなく、基地局による測定がモバイル・ポジショニングおいて重要な役割を持つエリアにおいて、モバイル・ポジショニングのために、基地局による測定がより頻繁に利用されうる。
【発明の概要】
【０００５】
このような態様の基本的認識を提供するために、１又は複数の態様の簡略化された概要が以下に示される。この概要は、熟慮された態様全てについての広範囲な要約ではなく、全ての態様の重要事項や決定的要素を識別することも、任意の又は全ての態様の範囲を線引くことも意図されていない。後に示される、より詳細な説明に対する前置きとして、１又は複数の態様のいくつかの概念を簡略化形式で示すことがこの概要の唯一の目的である。
【０００６】
１又は複数の態様、およびそれらの対応する開示に従って、できるだけ多くの基地局を検出する機会をモバイル・デバイスに提供することに関連して、様々な態様が説明される。これが、位置推定において、より優れた精度を提供しうる。
【０００７】
態様は通信ネットワークにおいて利用される方法に関連する。この方法は、以下の動作を実施するために、コンピュータ読取可能記憶媒体に格納されたコンピュータ実行可能命令群を実行するプロセッサを用いることを含む。方法は、高検出性パイロット（highly detectable pilot）を送信するための少なくとも１つのシンボルを決定することを含む。ここにおいて、この少なくとも１つのシンボルは、少なくとも１つのデータ・シンボルである。方法は、この少なくとも１つのシンボルのうちの一部において、高検出性パイロットを送信することも含む。いくつかの態様に従って、方法は、少なくとも１つのシンボルのうちのその他の部分の間、およびその他のシンボルの間、送信を行わないと決定することを含む。
【０００８】
別の態様は、メモリおよびプロセッサを含む無線通信装置に関連する。このメモリは、高検出性パイロットを送信するための、少なくとも１つのシンボルのうちの一部を識別することと、この少なくとも１つのシンボルのうちの一部において、無線ネットワークにおける１又は複数の受信機に対して高検出性パイロットを送信することとに関連する命令群を保持する。プロセッサは、メモリに結合され、メモリに保持された命令群を実行するように構成されている。
【０００９】
更に別の態様は、通信ネットワークにおいて、高検出性パイロットを伝送する無線通信装置に関連する。無線通信装置は、高検出性パイロットの送信のために、少なくとも１つのデータ・シンボルのポジションを識別する手段と、この少なくとも１つのデータ・シンボルのポジションにおいて、高検出性パイロットを伝送する手段とを含む。高検出性パイロットは、ポジション決定のために１又は複数の受信機に伝送される。加えて、無線通信装置が、少なくとも１つのシンボルと第２のシンボルとからなる組合せを生成する手段を含み、ここにおいて、高検出性パイロットを伝送する手段は、この組合せの一部において、高検出性パイロットを送信する。
【００１０】
更に別の態様は、コンピュータ読取可能媒体を含むコンピュータ・プログラム製品に関連する。コンピュータに、少なくとも１つのデータ・シンボルにおけるポジションを選択させるための第１のコード・セットがコンピュータ読取可能媒体に含まれる。この少なくとも１つのデータ・シンボルは、高検出性パイロット機会としてスケジュールされる。コンピュータに、このポジションにおいて高検出性パイロットを送信させ、少なくとも１つのデータ・シンボルのうちのその他のポジションの間は送信しないようにさせるための第２のコード・セットが、コンピュータ読取可能媒体に含まれる。
【００１１】
別の態様は、モバイル・デバイス位置決定のために、高検出性パイロットを送信するように構成された少なくとも１つのプロセッサに関する。プロセッサは、少なくとも１つのデータ・シンボルにおけるポジションを選択するための第１のモジュールと、選択されたポジションの間に高検出性パイロットを伝送し、少なくとも１つのデータ・シンボルのうちのその他のポジションの間はサイレント状態に留まるための第２のモジュールとを含む。
【００１２】
前述の目的およびそれに関連する目的の達成に向けて、１又は複数の態様は、以下に完全に説明され、特許請求の範囲において具体的に指摘される特徴を備える。以下の説明および添付図面は、１又は複数の態様の特定の例示的特徴を詳細に説明している。しかし、これらは様々な態様の原理が用いられる様々な方式のほんのいくつかしか示していない。図面と併せて考慮すると、その他の利点および新規の特徴が以下の詳細な説明から明らかとなり、開示される態様は、そのような態様の全てと、それらの均等物とを含むよう意図されている。
【図面の簡単な説明】
【００１３】
【図１】図１は、開示された態様が利用される無線通信システムを例示する。
【図２】図２は、本明細書において開示される１又は複数の態様に従うモバイル・ポジショニングの検出のためのシステムを例示する。
【図３】図３は、態様に従って、ＬＴＥプラットフォームのための高検出性パイロット構造を例示する。
【図４】図４は、態様に従って、ＬＴＥプラットフォームのための別の高検出性パイロット構造を例示する。
【図５】図５は、１ｘＥＶ−ＤＯ下りリンク・スロット構造の例を示す。
【図６】図６は、態様に従って、１ｘＥＶ−ＤＯ高検出性パイロット構造の例を示す。
【図７】図７は、態様に従って、計画されたカラーリングの例を示す。
【図８】図８は、１ｘＥＶ−ＤＯ高検出性パイロット送信タイミングの例を示す。
【図９】図９は、態様に従って、通信環境において高検出性パイロットを提供するための方法を例示する。
【図１０】図１０は、１又は複数の開示された態様に従って、高検出性パイロットの受信を容易にするシステムを例示する。
【図１１】図１１は、本明細書において示された様々な態様に従って、高検出性パイロットの送信を容易にするシステムを例示する。
【図１２】図１２は、態様に従って、モバイル・デバイス・ポジショニングのために利用されうる高検出性パイロットを伝送するシステムの例を示す。
【図１３】図１３は、１又は複数の態様に従う多元接続無線通信システムを例示する。
【図１４】図１４は、様々な態様に従う無線通信システムの例を示す。
【発明を実施するための形態】
【００１４】
ここで、様々な態様が、図面を参照して説明される。以下の記述において、説明を目的として、１又は複数の態様についての完全な理解を提供するために、多くの具体的な詳細が説明される。しかし、このような態様が、これら具体的な詳細を用いずに実現されうるということは明らかである。別の実例において、これらの態様を説明することを容易にするために、周知の構成およびデバイスが、ブロック図形式で図示される。
【００１５】
用語「構成要素」、「モジュール」、「システム」などは、本願において使用される際、コンピュータに関連するエンティティ、例えば、ハードウェアか、ファームウェアか、ハードウェアとソフトウェアとの組合せか、ソフトウェアか、実行中のソフトウェアかの何れかを称するように意図されている。例えば、構成要素は、プロセッサにおいて動作する処理や、プロセッサや、オブジェクトや、実行ファイルや、実行スレッドや、プログラムおよび／又はコンピュータであるが、それらに限定はされない。実例として、コンピューティング・デバイスにおいて起動するアプリケーションと、コンピューティング・デバイスとの両方が、構成要素でありうる。１又は複数の構成要素が、処理および／又は実行スレッド内に存在し、１つのコンピュータ上に局在化されるか、および／あるいは、２以上のコンピュータ間で分散されうる。加えて、これらの構成要素は、格納された様々なデータ構造を有する様々なコンピュータ読取可能媒体から実行されうる。（例えば、ローカル・システムにおいてや、分散システムにおいてや、および／又は、その他のシステムを伴うインターネットのようなネットワークにわたって、信号によって別の構成要素と相互作用する１つの構成要素からのデータのような）１又は複数のデータ・パケットを有する信号に従うような、ローカルおよび／又はリモートな処理によって、構成要素が通信しうる。
【００１６】
更に、モバイル・デバイスと関連付けて、様々な態様が、本明細書において説明される。モバイル・デバイスは、例えば、システム、サブキャリア・ユニット、サブキャリア局、モバイル局、モバイル、無線端末、ノード、デバイス、リモート局、リモート端末、アクセス端末、ユーザ端末、端末、無線通信デバイス、無線通信装置、ユーザ・エージェント、ユーザ・デバイス、あるいはユーザ機器（ＵＥ）などとも称され、それらの機能のうちのいくつか又は全てを含みうる。モバイル・デバイスは、例えば、セルラ電話、コードレス電話、セッション開始プロトコル（ＳＩＰ）電話、スマートフォン、無線ローカル・ループ（ＷＩＬＬ）局、携帯情報端末（ＰＤＡ）、ラップトップ、ハンドヘルド通信デバイス、ハンドヘルド・コンピューティング・デバイス、衛星ラジオ、無線モデム・カード、および／又は無線システムによる通信のためのその他の処理デバイスである。更に、様々な態様が、基地局と関連付けて、本明細書において説明される。基地局は、無線端末（単数又は複数）と通信するために利用され、アクセス・ポイントや、ノードや、ノードＢや、ｅノードＢや、ｅ−ＮＢや、あるいはその他何らかのネットワーク・エンティティとも称され、それらの機能のうちのいくつか又は全てを含みうる。
【００１７】
複数のデバイスや、構成要素や、モジュールなどを含みうるシステムの観点から、様々な態様あるいは特徴が示されるだろう。様々なシステムが、更なるデバイス、構成要素、モジュールなどを含み、および／又は、図に関連付けて議論された全てのデバイス、構成要素、モジュールなどを必ずしも含んでいるわけではないということが理解および認識されるべきである。これらのアプローチの組合せも使用されうる。
【００１８】
加えて、主題の説明において、用語「典型的」（およびそれの変形）は、例、実例、あるいは例示として役立つことを意味して使用される。「典型的」として本明細書において説明された態様および設計は、必ずしもその他の態様あるいは設計より好ましいあるいは有利なものとして解釈されるものではない。むしろ、用語「典型的」を使用することで、具体的な方式で概念を示すよう意図されている。
【００１９】
図１では、開示された態様が利用されうる無線通信システム１００が例示される。送信機１０２、１０４、１０６、１０８、および、受信機１１０、１１２が例示される。任意の数の送信機および受信機が、無線通信システム１００に含まれうることと、例示された各受信機および送信機の数は、説明を目的としたものであることが留意されるべきである。送信機１０２、１０４、１０６、１０８は基地局であり、受信機１１０、１１１２はモバイル・デバイスでありうる。ここにおいて、多数の基地局およびモバイル・デバイスが、無線通信システム１００において利用される。
【００２０】
時として、受信機が送信機からのパイロットを検出することは困難である。例えば、例示されたように、受信機１１０は、送信機１０４に近接しており、これは、サービス提供中の基地局でありうる。この場合、送信機１０４が支配的な信号を発信し、それによって、送信機１０２、１０６、１０８からの信号のような、より弱いパイロット信号を検出することが受信機１１０にとって困難になる。説明されたこの状況は、「近遠効果」と称され、受信機の、多数の送信機を検出するための能力を制限する。例えば、無線通信システム１００が、多数の基地局（例えば、送信機）を含みうるが、受信機は、２、３個の基地局からのパイロットしか検出できない可能性がある。これら受信された２、３個のパイロットが提供する情報は、測定誤差を訂正するのにも、位置検出に関連付けられたその他の利点を提供するのにも不十分である。しかし、１つの送信機からの支配的な信号が存在し、近遠効果が懸念される場合においても、開示された態様を利用することによって、受信機が多数の送信機からのパイロットを検出しうる。
【００２１】
いくつかの態様によると、無線通信システム１００が、高検出性パイロット構造を利用するように構成されうる。ここにおいて、１つのＯＦＤＭシンボルが利用される。これによって、決定時間（すなわち、モバイル・デバイスのポジションを決定するための時間）は、より短くなる。いくつかの態様によると、無線通信システム１００は、２つのＯＦＤＭシンボルが利用される高検出性パイロット構造を利用するように構成されうる。２つのＯＦＤＭシンボルにわたって高検出性パイロット構造を復号しようとしている受信機（例えば、モバイル・デバイス）は、多数の送信機からそれぞれの高検出性パイロットを取得するために、余分な時間を必要とする。これらの高検出性パイロット構造に関連する更なる情報が以下に提供される。
【００２２】
図２は、本明細書において開示される１又は複数の態様に従うモバイル・ポジショニングの検出のためのシステム２００を例示する。システム２００は、無線通信ネットワーク２０２において利用されうる。これは、セルラ・ネットワークのような任意のタイプの通信ネットワークであり、ＬＴＥシステムでありうる。無線通信ネットワーク２０２には、受信機２０６と通信する送信機２０４が含まれている。後に認識されうるように、任意の数の送信機２０４および受信機２０６が無線通信ネットワーク２０２に含まれうるが、簡略化のために、単一の受信機２０６に通信データ信号を送信する単一の送信機２０４しか例示されていないことが理解されるべきである。
【００２３】
システム２００は、近隣基地局の検出のために、高検出性パイロット（ＨＤＰ）を利用するように構成されうる。本明細書において利用されるように、高検出性パイロットは、低再使用パイロットや、ポジショニング支援基準信号（ＰＡ−ＲＳ）や、あるいは低再使用プリアンブルとも称されうる。ＨＤＰによって、受信機が多数の送信機を検出できるようになる。例えば、モバイル・デバイスのような１又は複数の受信機が、（例えば、基地局のような）多数の送信機から送信されたＨＤＰを検出するように構成されうる。無線通信ネットワーク２０２が各送信機２０４の位置を認識しているので、受信機２０６が各送信機２０４に対する自己の相対位置／距離を報告することによって、無線通信ネットワーク２０２は受信機２０６の近似位置を突き止めることができる。このように、受信機２０６ができるだけ多くの送信機からＨＤＰを検出することが、効率のため（例えば、測定誤差を修正したり、任意の誤差を平均したりするため）に都合が良い。更に、受信機２０６の位置を可能な限り正確に決定することが、（例えば、緊急呼出、広告、および位置ベースのその他の通信のような）位置ベースのサービスのために利用されうる。
【００２４】
更に、本明細書に開示され、無線通信ネットワーク２０２において利用されるＨＤＰ構造によって、受信機は、送信機と受信機との距離と近遠効果を含むその他の要因とのために弱い信号を有する送信機を検出できるようになる。例えば、サービス提供中の基地局（例えば、送信機）は、近隣基地局からの信号の検出を困難にする強い信号を有しうる。本明細書において開示されるＨＤＰ構造を利用することによって、受信機から遠くに位置する、および／又は、弱い信号を有する送信機からのＨＤＰを検出できるようになる。これは、基地局（例えば、送信機）による測定によるモバイル・ポジショニングを向上させうる。
【００２５】
高検出性パイロット、すなわちＨＤＰを利用することによって、モバイル・デバイス（例えば、受信機２０６）が比較的容易に検出できる信号を、本明細書において開示された様々な態様が提供する。多重化によって、複数のスロット（ｎ個のスロット）がサブフレームにおいて利用可能であり、送信機２０４（例えば、基地局）はこれらｎ個のスロットの中からＨＤＰを送信するための１スロットを選ぶ。態様によると、各送信機２０４は、ＨＤＰを送信するために、ｎ個のスロットのうちの１スロットのみの利用を認められている。その他の選択されなかったｎ個のスロットの間、送信機２０４は、サイレント（例えば、送信しない）状態である。受信機２０６が著しく強い信号を発信している送信機２０４の近くにある場合、この送信機２０４は１つのｎスロットの間だけしか送信していないため、この支配的な送信機のサイレント期間の間に、受信機２０６がその他の送信機（例えば、より弱い基地局）を検出しうるということがこの態様の利点である。
【００２６】
いくつかの態様によると、送信機２０４が、ネットワーク計画および／又はランダム選択を利用して、ｎ個のスロットのうちのどのスロットすなわちポジションで送信するかを決定しうる。いくつかの態様によると、送信ポジションを決定するために、送信ポジション決定器（determiner）２０８によって、下記の式が利用されうる。  
ＨＤＰ  Ｃｌｕｓｔｅｒ＝Ｈａｓｈ（ＣｅｌｌＧｒｏｕｐＩＤ＋ＣｌｕｓｔｅｒＩＤ）ｍｏｄＭ  
ここで、Ｃｌｕｓｔｅｒは、ＨＤＰサブフレームすなわちバーストのグループである。ＣｅｌｌＧｒｏｕｐＩＤは、基地局あるいは送信機の識別情報である（これは、モバイル・デバイスあるいは受信機によって知られている）。このＣｌｕｓｔｅｒＩＤは、ＨＤＰ  Ｃｌｕｓｔｅｒである。更に、ハッシュ（hash）は予め定められており、送信機および受信機の両方によって知られている。いくつかの態様によると、送信機および受信機の両方が、ハッシュ関数が利用されていることを認識しているのであれば、ハッシュはランダムでありうる。ＨＤＰパイロットは、通信構成要素２１０によって、多数の受信機２０６に送信される。
【００２７】
受信機２０６は、複数の送信機２０４によって送信されたＨＤＰを受信するように構成されたＨＤＰ受信機２１２を含みうる。受信機２０６は、（例えば、１つのＯＦＤＭシンボルあるいは２つのＯＤＦＭシンボルのような）ＨＤＰの送信位置を決定するように構成されたＨＤＰポジション確認器（ascertainer）２１４をも含みうる。
【００２８】
例えば、ＨＤＰポジション確認器２１４は、送信機２０４と関連付けられた送信ポジション決定器２０８によって利用される式に類似した式を利用しうる。例えば、受信機２０６は、ＨＤＰ  Ｃｌｕｓｔｅｒ＝Ｈａｓｈ（ＣｅｌｌＧｒｏｕｐＩＤ＋ＣｌｕｓｔｅｒＩＤ）ｍｏｄＭという式を利用しうる。Ｃｌｕｓｔｅｒは、ＨＤＰサブフレームすなわちバーストのグループを称する。例えば、２１個のＨＤＰシンボルが存在する場合、複数のサブフレームがこれらのＨＤＰパイロットを送信する必要がある。このように、２１個のＨＤＰシンボルが存在する場合、実例において３つのサブフレームが存在する。ＣｅｌｌＧｒｏｕｐＩＤは、基地局あるいは送信機２０４の識別情報であり、送信機２０４は各々が異なる識別情報を有する。このように、ＨＤＰのポジションは、ＣｅｌｌＧｒｏｕｐＩＤおよび（複数のＨＤＰパイロットを含むＨＤＰ  Ｃｌｕｓｔｅｒであり、クラスタと称される）ＣｌｕｓｔｅｒＩＤに応じて決定される。この式を利用することによって、ネットワーク（例えば、ネットワーク計画）の必要性を軽減する。
【００２９】
更に、どの基地局あるいは送信機２０４が、各ＯＦＤＭシンボルにおいて検出されるべきかを、ＨＤＰポジション確認器２１４（例えば、受信機２０６）が決定しうる。このように、受信機２０６は、全ての送信機２０４を無分別に検出するのではなく、そのＯＦＤＭシンボル（単数又は複数）において送信する送信機２０４だけを検出するだろう。ネットワーク計画が利用される場合、受信機２０６は、（ネットワークによって異なる）シンボルで送信している基地局（あるいは送信機２０４）の数を知らない可能性が高く、全ての可能性（例えば、５１２個の全基地局）を検出しなければならない。この処理のために、受信機２０６は大幅により長い時間を費やし、より多くのバッテリー電力および過度のリソースを消費する必要があり、誤認アラームが引き起こされうる。このように、ＨＤＰポジション確認器２１４は、開示された態様を利用することによって、電力およびシステム・リソースを節約し、誤認アラームを軽減する。
【００３０】
システム２００は、動作可能なように送信機２０４に結合されたメモリ２１６を含みうる。メモリ２１６は、送信機２０４の外側、あるいは、送信機２０４内に存在しうる。メモリ２１６は、高検出性パイロットを送信するための、少なくとも１つのシンボルのうちの一部を識別することと、この少なくとも１つのシンボルのうちの一部において、無線ネットワークにおける１又は複数の受信機に対して、高検出性パイロットを送信することとに関連する情報を格納しうる。
【００３１】
いくつかの態様によると、少なくとも１つのシンボルのうちの一部を識別することに関連する命令群は、ｎ個のスロットのセットから選び、メモリは、選ばれなかったｎ個のスロットの間、送信しないことに関連する命令群を更に保持する。その他の態様によると、少なくとも１つのシンボルのうちの一部を識別することに関連する命令群は、少なくとも１つのシンボルのうちの一部を確認するために、セル・グループ識別情報を利用する。いくつかの態様において、少なくとも１つのシンボルのうちの一部を識別する命令群は、少なくとも１つのシンボルをランダムに選ぶ。追加的にあるいは代替的に、メモリ２１６は、無線ネットワークからの情報を受信することに関連する命令群を更に保持する。この命令群は、少なくとも１つのシンボルの識別情報を提供する。
【００３２】
いくつかの態様によると、メモリ２１６は、少なくとも１つのシンボルと第２のシンボルとを組み合わせて、これら２つのシンボルの組合せを生成することと、この組合せの一部において、高検出性パイロットを送信することとに関連する命令群を更に保持している。メモリ２１６は、通信ネットワークにおいて送信および受信された信号に関連するその他適切な情報も保持しうる。
【００３３】
メモリ２１６は、高検出性パイロットに関連付けられたプロトコルを格納し、システム２００が、格納されたプロトコルおよび／又はアルゴリズムを用いて、本明細書において説明された無線ネットワークにおける通信の改善を達成するように、送信機２０４や受信機２０６などの間の通信を制御するための動作を講じる。いくつかの態様によると、メモリおよびプロセッサが、動作可能なように、受信機２０６に結合されうる。
【００３４】
本明細書において説明されたデータ格納構成要素（例えば、メモリ）が、揮発性メモリか不揮発性メモリのどちらかである、あるいは、揮発性および不揮発性メモリの両方を含みうる、ということが認識されるべきである。限定のためでなく実例として、非揮発性メモリが、読取専用メモリ（ＲＯＭ）か、プログラマブルＲＯＭ（ＰＲＯＭ）か、電子的プログラマブルＲＯＭ（ＥＰＲＯＭ）か、電子的消去可能ＲＯＭ（ＥＥＰＲＯＭ）か、あるいはフラッシュ・メモリを含みうる。揮発性メモリは、外部キャッシュ・メモリとして動作するランダム・アクセス・メモリ（ＲＡＭ）を含みうる。限定のためではなく実例として、ＲＡＭは、同期ＲＡＭ（ＳＲＡＭ）と、動的ＲＡＭ（ＤＲＡＭ）と、同期ＤＲＡＭ（ＳＤＲＡＭ）と、ダブル・データ・レートＳＤＲＡＭ（ＤＤＲ  ＳＤＲＡＭ）と、改良ＳＤＲＡＭ（ＥＳＤＲＡＭ）と、シンクリンク（synchlink）ＤＲＡＭ（ＳＬＤＲＡＭ）のような、多くの形態で利用可能である。開示された態様のメモリは、これらのメモリおよびその他適切なタイプのメモリを備えるよう意図されているが、それらに限定はされない。
【００３５】
少なくとも１つのプロセッサ２１８は、動作可能なように送信機２０４（および／又はメモリ２１６）に結合され、通信ネットワークにおいて高検出性パイロットを送信することに関連する情報の分析を容易にする。プロセッサ２１８は、送信機２０４によって受信された情報を分析および／又は生成するためのプロセッサや、システム２００の１又は複数の構成要素を制御するプロセッサ、および／又は送信機２０４によって受信された情報の分析および生成の両方を行い、かつシステム２００の１又は複数の構成要素を制御するプロセッサである。
【００３６】
いくつかの態様によると、プロセッサ２１８は、モバイル・デバイス位置決定のために、高検出性パイロットを送信するように構成されている。プロセッサ２１８は、少なくとも１つのデータ・シンボルにおけるポジションを選択するための第１のモジュールを含みうる。このポジションの間に高検出性パイロットを伝送し、少なくとも１つのデータ・シンボルのうちのその他のポジションの間はサイレント状態に留まるための第２のモジュールも、プロセッサ２１８は含みうる。サイレント状態に留まることによって、受信機はその他の送信機から送信されたパイロットを検出することができる。いくつかの態様によると、プロセッサ２１８は、少なくとも１つのデータ・シンボルと第２のデータ・シンボルとを組み合わせて組合せを生成するための第３のモジュールを含む。ここにおいて、第１のモジュールは、この組合せにおけるポジションを選択し、第２のモジュールは、この組合せにおけるポジションにおいて、高検出性パイロットを伝送する。
【００３７】
図３は、態様に従うＬＴＥプラットフォームのためのＨＤＰ構造を例示する。３００において、ＬＴＥフレーム・タイプ０のためのＨＤＰ構造が例示され、３０２において、ＬＴＥフレーム・タイプ１のためのＨＤＰ構造が例示されている。フレーム・タイプ０（３００）のための２つのサブフレーム３０４、３０６が例示され、各サブフレーム３０４、３０６は、（０乃至１３とラベルされた）１４個のＯＦＤＭシンボルを含む。更に、フレーム・タイプ１（３０４）のための２つのサブフレーム３０８、３１０が例示され、各サブフレーム３０８、３１０は、（０乃至１１とラベルされた）１２個のＯＦＤＭシンボルを含む。簡略化のために、各フレーム・タイプ３００、３０２のために２つのサブフレームしか例示されていないが、開示された態様で、多数のサブフレームが利用されうると理解されるべきである。
【００３８】
利用可能なＯＦＤＭシンボルのサブセットのみが、ＨＤＰのために利用される。これらは、ＨＤＰＣＨ（高検出性パイロット・チャネル）とラベルされる。例えば、サブフレーム３０４、３０６においてＨＤＰのために利用可能なシンボルは、シンボル３、５、６、９、１０、１２、１３である。別の実例において、サブフレーム３０８、３１０において利用可能なシンボルは、シンボル４、５、８、１０、１１である。その他のシンボル（例えば、シンボル０、１、２など）は、その他の目的（例えば、パイロット、制御信号など）のために確保されうる。例示されたサブフレームにおけるシンボルのポジションは、例示のみを目的としたものであり、ネットワーク、システム、およびその他の事項に依存して変わる可能性がある。
【００３９】
ＨＤＰＣＨのために利用されうるシンボルはデータ・シンボルであり、これらのシンボルのうちのいくつかはデータのために利用される必要があるため、ＨＤＰＣＨのために利用可能なシンボルのうちの全てが必ずしも利用されるわけではない。このように、ＨＤＰは、低オーバヘッドを利用して送信されうる。ここにおいて、シンボルは、ＨＤＰのために第１のサブフレームにおいて利用され、次のサブフレーム（あるいは、任意のナンバのサブフレーム）においては利用されない。このように、ＨＤＰはサブフレーム毎に連続的に送信されるのではなく時々送信されるだけなので、このシステムに対する全体的な影響は最小限に保たれる。
【００４０】
限定のためではなく実例として、サービス提供中の基地局はＯＦＤＭシンボル５においてＨＤＰを送信することを選ぶ。サービス提供中の基地局は、その他の基地局によるＨＤＰ送信のために、利用可能な残りのＯＦＤＭシンボルにおいてサイレント（ＨＤＰを送信しない）状態である。このような方式において、受信モバイル・デバイスは、受信される信号がサービス提供中の基地局から受信された信号よりも弱い基地局から受信されたＨＤＰを検出する機会を提供される。
【００４１】
いくつかの態様によると、利用可能なスロットよりも多くの基地局が存在しうる。示された実例において、フレーム・タイプ０（３００）は、ＨＤＰバースト毎に７つのＨＤＰ送信機会／ＯＦＤＭシンボル（例えば、シンボル３、５、６、９、１０、１２、１３）を有する（最小サブキャリアは７２に等しくなりうる）。フレーム・タイプ１（３０２）は、ＨＤＰバースト毎に５つのＨＤＰ送信機会／ＯＦＤＭシンボル（例えば、シンボル４、５、８、１０、１１）を有する（最小サブキャリアは７２に等しくなりうる）。フレーム・タイプ０（３００）では、衝突が７の倍数によって低減され、フレーム・タイプ１（３０２）については、衝突機会は５の倍数によって低減される。このように、利用可能なＨＤＰ機会（ＯＦＤＭシンボル）が多い程、衝突の可能性は低くなる。
【００４２】
いくつかの態様によると、ＨＤＰ  Ｃｌｕｓｔｅｒは、多重化係数（Ｍ＞７、５）を得るために、複数のＨＤＰバーストを含みうる。このように、複数のサブフレームによって、より多くのＯＦＤＭシンボルが利用されうる。この態様のトレードオフは、時間的に更に離れて広げられるＨＤＰＣＨのためにより多くのリソースが利用されることである。例えば、各々が１４個のＯＦＤＭシンボルを有する２つのサブフレームでは、２つのサブフレームが利用されうる。これは、１つのサブフレームのみを利用する場合より時間がかかるだろう。このように、「決定時間」すなわち全ての基地局からのＨＤＰＣＨを検出するための時間が長くなる。この実例について続けると、１４個のシンボルが１回の送信のために選ばれる場合、合計１４個のＨＤＰチャネルにおいて１つのＯＦＤＭシンボルで送信することしか基地局は許可されない。別の実例において、２１個のＯＦＤＭシンボルがＨＤＰ  Ｃｌｕｓｔｅｒを備えている場合、「決定時間」は、１つのサブフレーム（７つのＨＤＰ／ＯＦＤＭシンボル）のみが利用される場合の３倍の長さ（例えば、３つのサブフレーム）となる。例えば、Ｍが１５に等しい場合、３つのＨＤＰバーストは１つのＨＤＰ  Ｃｌｕｓｔｅｒに等しくなる（例えば、Ｍ＝１５のＨＤＰ  Ｃｌｕｓｔｅｒは、３つのＨＤＰバーストを有する）。
【００４３】
１つのセクタ（例えば、基地局）は、１つのＨＤＰ  Ｃｌｕｓｔｅｒにおいて１つのＨＤＰ送信機会を有する。ＨＤＰ  Ｃｌｕｓｔｅｒにおける送信トレーニング・ポジションは、Ｈａｓｈ（ＣｅｌｌＧｒｏｕｐＩＤ＋ＣｌｕｓｔｅｒＩＤ）ｍｏｄＭによって決定されうる。
【００４４】
図４では、態様に従うＬＴＥプラットフォームのための別のＨＤＰ構造が例示される。上記に示されたＨＤＰ構造３００は、比較的短いＯＦＤＭシンボルを有する。受信機が入力シンボルを制御するために自動利得制御（ＡＧＣ）を利用する場合、ＡＧＣが収束するのに時間がかかりうる。例えば、受信機は、ＯＦＤＭシンボル３のような、ＨＤＰパイロットのうちの１つを検出しようと試みている。この間、著しく強い基地局（例えば、サービス提供中の基地局）がＨＤＰを送信している。送信後、（例えば、ＯＦＤＭシンボル４において）この強い基地局はシャット・オフする。このように、シンボル０、１、２、３の間、およびＯＦＤＭシンボル４において、受信機は強い信号に注意を向けており、受信機によって検出されるエネルギーはごく小さい（例えば、サービス提供中の基地局が送信していない場合は、検出されるエネルギーは強い）。後に著しく低い信号へと下降する著しく強い信号が存在する。受信機におけるＡＧＣは、入力信号を特定のレベルへと制御しようとする。（例えば）信号が５０ｄＢから０ｄＢに下降した場合、これは著しい変化であり、ＡＧＣが収束するのには時間がかかる。ＯＦＤＭシンボルは著しく短いため、ＡＧＣが収束するための時間までに、次のＯＦＤＭシンボルの一部が失われるだろう。優れた応答レートを有するＡＧＣは、上述のＨＤＰ構造３００を利用しうる（これは、より多くのＨＤＰパイロットが各サブフレームに配置されうるために優れている）。しかし、応答レートが遅いＡＧＣは、図４に例示されたＨＤＰ構造４００を利用するほうが望ましい可能性がある。
【００４５】
４００において、ＬＴＥフレーム・タイプ０のためのＨＤＰ構造が例示され、４０２はＬＴＥフレーム・タイプ１のためのＨＤＰ構造である。フレーム・タイプ０のための２つのサブフレーム４０４、４０６が例示される。各サブフレーム４０４、４０６は、（０乃至１３とラベルされた）１４個のＯＦＤＭシンボルを有する。更に、フレーム・タイプ１（４０４）のための２つのサブフレーム４０８、４１０が例示される。各サブフレーム４０８、４１０は、（０乃至１１とラベルされた）１２個のＯＦＤＭシンボルを含む。簡略化のために、各フレーム・タイプ４００、４０２のためにサブフレームが２つずつしか例示されていないが、開示された態様で、多数のサブフレームが利用されうると理解されるべきである。
【００４６】
この構造に従って、各ＨＤＰＣＨは２つのＯＦＤＭシンボルを利用する。例えば、サブフレーム４０４、４０６は、３つのＨＤＰＣＨ機会を各々有する（Ｍ＝３／バースト）。第１のＨＤＰＣＨがシンボル５、６を占め、第２のＨＤＰＣＨはシンボル９、１０を占め、第３のＨＤＰＣＨはシンボル１２、１３を占める（シンボル３は利用されない）。サブフレーム４０２、４１０は、２つのＨＤＰＣＨ機会を各々含みうる（Ｍ＝２／バースト）。第１のＨＤＰＣＨはシンボル４、５を占め、第２のＨＤＰＣＨはシンボル１０、１１を占めうる（シンボル８は利用されない）。
【００４７】
２つのＯＦＤＭシンボルを組み合わせて１つのＨＤＰ機会にすることによって、ＡＧＣはより収束時間が長くなる。このように、ＡＧＣが収束するのには時間（例えば、ＯＦＤＭシンボルの一部）がかかりうるが、そのＯＦＤＭシンボルの残りだけでなく、次の（例えば、第２の）ＯＦＤＭシンボルもまた存在する。このように、ＡＧＣが著しく遅く（例えば、ＯＦＤＭ全体で）収束する場合でも、受信機は、検出のために利用可能な第２の部分（例えば、第２のＯＦＤＭシンボル）をまだ有しているので、ＨＤＰパイロットを検出することができるだろう。このように、図４に例示された第２のＨＤＰ構造によって、ＡＧＣは収束時間がより長くなる（例えば、緩和時間が長くなる）。
【００４８】
図４に例示された設計におけるトレードオフは、ＨＤＰが２つのＯＦＤＭシンボルを拡張しているために、各サブフレームにおける利用可能なＨＤＰＣＨの数が低減されることである。例えば、２１個のＨＤＰを提供するためには、全ての基地局を検出するために、より多くのサブフレームが必要となる（例えば、「決定時間」が増加する）。
【００４９】
いくつかの態様によると、送信機（および／又は受信機）は、ＨＤＰＣＨのために、（決定時間が比較的短い）１つのシンボルか、（取得するのに比較的長い時間がかかる）２つのＯＦＤＭシンボルかのどちらかを利用してパイロットを送信するように構成されうる。
【００５０】
開示された態様を完全に理解するために、ＣＤＭＡ２０００（登録商標）１ｘおよび１ｘＥＶ−ＤＯ下りリンク波形のいくつかの態様が以下で議論され、１ｘＥＶ−ＤＯ下りリンク・スロット構造の例５００が図５に示される。ＣＤＭＡ２０００（登録商標）下りリンク搬送波は、１．２５ＭＨｚの帯域幅に割り当てられる。下りリンク信号は、ＰＮオフセットとして知られたセクタ特有のオフセットで、およそ１．２２８８Ｍｃｐｓのレートで、ＰＮシーケンスによって拡散される。オフセットＰＮシーケンスは、およそ３２，７６８チップ（２６．６６．．．ミリ秒）毎にロール・オーバ（roll over）し、ＣＤＭＡシステム時間と同調する。
【００５１】
１ｘ下りリンクにおいて、パイロット・チャネルは、その他のチャネルで符号分割多重化される。このように、パイロット・チャネルは、最大電力に比べてわずかな電力で連続的に送信される。一方で、１ｘＥＶ−ＤＯ下りリンクにおいて、パイロット・チャネルは、その他のチャネルで時分割多重化される。このように、パイロット・チャネルは、最大電力でバーストにおいて送信される。
【００５２】
１ｘＥＶ−ＤＯ下りリンク送信は、２０４８チップ（１．６６．．．ミリ秒）の長さの時間スロットを含む。１６スロットのグループ（２６．６６．．．ミリ秒）は、オフセットＰＮシーケンスと同調する。各スロットにおいて、パイロットと、ＭＡＣと、トラフィック又は制御チャネルとが、図５に従って時分割多重化される。例えば、データ５０２は４００チップであり、ＭＡＣ５０４は６４チップであり、パイロット５０６は９６チップでありうる。データ部分は、トラフィックあるいは制御チャネルのどちらかを伝送する。
【００５３】
図６は、態様に従って１ｘＥＶ−ＤＯ  ＨＤＰスロット構造の例６００を示す。１ｘＥＶ−ＤＯ下りリンクでは、特定の時間スロットが割り当てられ、これらの時間スロットは、ＨＤＰスロット６０２と称される。ＨＤＰチャネルは、これらの専用スロットのデータ部分において送信される。レガシ・パイロットおよびＭＡＣチャネルは、下位互換性のために保持される。ＨＤＰは、ＨＤＰを認識しないレガシ・モバイル・デバイス用には意図されていないパケットのように見える。ＨＤＰスロットは、１％前後の低デューティ・サイクルしか有していないので、下りリンク・キャパシティには最小限の影響しか与えない。
【００５４】
専用スロットおよびセクタの両方が、Ｋ個のグループに区分化され、区分間の一対一の関連性が定義される。セクタの各グループは、関連付けられたスロットにおいてのみ、ＨＤＰを送信する。これは、係数Ｋを用いて、時間にわたる再使用と称される（時々、係数１／Ｋとも称されうる）。
【００５５】
セクタの区分化は、「カラーリング」と称される。各セルおよびセクタは、カラーと関連付けられる。セルのカラーは、｛Ｒ、Ｇ、Ｂ｝と略された｛赤、緑、青｝のようなセットからの値を取り、セクタのカラーは、セット｛Ｒ、Ｇ、Ｂ｝×｛α、β、γ｝からの値を取る。ここで、「×」はデカルト積を表す。セクタのカラーは、例えば、Ｒαとして省略される（Ｒ、α）のような２タプルであり、第１のエレメントは、セクタが属するセルのカラーから来ている。その結果、再使用係数Ｋ＝９が、ＨＤＰ送信のために利用される。
【００５６】
図７は、態様に従って、計画されたカラーリングの例７００を示す。計画されたカラーリングにおいて、バランスの取れた方式で同じカラーのセクタ間の干渉を最小限に抑えるために、カラーが固定の方式で割り当てられる。図において、セルの異なる種類のシェーディングによってカラーが示される。
【００５７】
セクタのカラーは、セクタのためのＨＤＰスロット送信タイミングを独自に決定する。図８は、１ｘＥＶ−ＤＯ  ＨＤＰ送信タイミングの例を示す。ここにおいて、時間は横軸で表される。この図において、ＨＤＰスロット８０４とセクタ・グループ８０６の送信順序とが例示されている。期間およびオフセットのような、送信タイミングに関連する更なる情報が更に詳細に以下に説明される。
【００５８】
専用リソースおよび再使用が、その他のチャネルによる干渉を緩和し、同一チャネルによる干渉も緩和しうる。このように、専用リソースおよび再使用は、近遠効果を緩和し、ヒアアビリティ（hearability）を改善しうる。
【００５９】
１つのＨＤＰスロット８０４に基づいて、モバイル・デバイスは、９つのグループのうちの１つにおいて、セクタを検出する機会を有する。モバイル・デバイスは、推定された位置を計算する前に、９つのＨＤＰスロットを受信するのを待つ必要はない。このように、モバイル・デバイスは自立的に、遅延をヒアアビリティとトレードオフしうる。図８に例示されるように、モバイル・デバイスは、９つのＨＤＰスロットのうちの１／３か、２／３か、あるいは全てを受信した後、ポジション決定を実行しうる。遅延が長くなれば、検出される基地局も増えることが、インクリメンタル検出という用語で表される。
【００６０】
インクリメンタル検出が位置精度と遅延との円滑なトレードオフを提供するためには、モバイル・デバイスが、より早期において全ての方向から十分な数の基地局を検出できる必要がある。これは、図８に例示された送信順序によって提供される。このことが、以下の２つの反対の例によって、より良く理解されうる。起こり得る１つの送信順序は、Ｒα、Ｒβ、Ｒγ、Ｇα、Ｇβ、Ｇγ、Ｂα、Ｂβ、Ｂγである。Ｒαセクタに位置するモバイル・デバイスは、近遠効果のために、期間のうちの最初の１／３においては十分な数の基地局を検出できない。
【００６１】
起こり得る別の送信順序は、Ｒα、Ｇα、Ｂα、Ｒβ、Ｇβ、Ｂβ、Ｒγ、Ｇγ、Ｂγである。全てのαセクタが、図８に図示されたのと同じ方向の指向性アンテナ・ビームを有しているので、モバイル・デバイスは、期間の１／３の各々において、全ての方向からの基地局を検出できる訳ではない。更に、βおよびγセクタは、それぞれ、同じ方向の指向性アンテナ・ビームを有している。  通信システムは、図８の方向とは異なる、イレギュラーなセルを有しうる。バランスの取れた方式で同じカラーのセクタ間の干渉を最小化するために、計画されたカラーリングはカラー割当においてオペレータの労力を必要とする。ランダム・カラーリングは、計画の労力を解消し、インクリメンタル検出を遵守する。
【００６２】
ランダム・カラーリングにおいて、セクタのカラーは、ランダム方式で時間と共に変化する。９つのＨＤＰスロットの各期間では、後にカラーへとマッピングされる０から８の間のランダムな整数をセルが生成する。セル内のセクタは、０、１、２．．．とナンバリングされ、上記で決定されたカラーは、セクタ０に割り当てられる。セル内のその他のセクタは、セクタ０、１、２．．．のためのカラーのうちの第２のエレメントが、ラップを伴う、α、β、γのシーケンシャル順に従うようにカラーリングされる。例えば、セクタ０が自己のカラーの第２のエレメントとしてβを有している場合、セクタ１は、自己のカラーの第２のエレメントとしてγを有し、セクタ２は、自己のカラーの第２のエレメントとしてαを有する。
【００６３】
ランダム・カラーリングは、計画されたカラーリングによって提供される静的Ｋ＝９再使用よりも有利な統計的Ｋ＝９再使用を提供しうる。ランダムなカラーリングでは、任意のカラー・グループが、平均的な意味において、総てのセクタのうちの１／９を有する。しかし、任意のランダムなカラー割当の実現のためには、グループが複数のセクタの１／９よりも多い又は少ないセクタを有しうる。このため、時間とともに弱いパイロットが検出されるようになり、これは静的モバイル・デバイスのポジショニングにとって有益である。
【００６４】
上記で示され、説明された典型的なシステムを考慮すると、開示された要旨に従って実施される方法体系は、様々なフロー・チャートを参照して、正しく認識されるだろう。説明の簡略化のために、方法体系が一連のブロックとして図示および説明されているが、権利主張される要旨が、ブロックの数又は順序に制限されないことが理解および認識されるべきである。いくつかのブロックは、本明細書において図示および説明されたブロックとは異なる順序で、および／又は、それら以外のその他のブロックと同時に生じうる。更に、本明細書で説明された方法体系を実施するのに、必ずしも例示されたブロック全てが必要となるわけではない。ブロックに関連付けられた機能が、ソフトウェアや、ハードウェアや、それらの組合せや、その他任意の適切な手段（例えば、デバイス、システム、処理、構成要素）によって実現されることが認識されるべきである。加えて、本明細書にわたって開示された方法体系は、このような方法体系を様々なデバイスに伝送および転送することを容易にするために、製造物品に格納されることが可能であるということが更に認識されるべきである。方法体系が、代替的に一連の相関関係にある状態あるいはイベントとして表されることを当業者は理解および認識するだろう。
【００６５】
図９は、態様に従って、通信環境において高検出性パイロットを提供するための方法９００を例示する。様々な態様によると、コンピュータ読取可能記憶媒体に格納されたコンピュータ実行可能命令群を実行するプロセッサが、方法９００を実施するために用いられうる。
【００６６】
方法９００は、高検出性パイロットが送信されうる少なくとも１つのシンボルの決定がなされる９０２において開始する。この少なくとも１つのシンボルは、少なくとも１つのデータ・シンボルである。いくつかの態様によると、この少なくとも１つのシンボルは、ＯＦＤＭシンボルである。９０２における少なくとも１つのシンボルの決定は、セル・グループ識別情報に応じる。いくつかの態様によると、この決定は、通信ネットワークから命令を受信することに基づいて、少なくとも１つのシンボルを使用する。
【００６７】
９０４において、高検出性パイロットが、少なくとも１つのシンボルのうちの一部において送信される。少なくとも１つのシンボルのうちのその他の部分の間（あるいはその他のシンボルの間）、高検出性パイロットは送信されない（例えば、サイレント状態の期間が観測される）。
【００６８】
いくつかの態様によると、方法９００は、少なくとも１つのシンボルと第２のシンボルとからなる組合せを形成することと、この組合せの一部において、高検出性パイロットを送信することとを含む。
【００６９】
いくつかの態様において、コンピュータ・プログラム製品は、方法９００の様々な態様を実行するためのコードを備えるコンピュータ読取可能媒体を含みうる。コンピュータ読取可能媒体は、コンピュータに、少なくとも１つのデータ・シンボルにおけるポジションを選択させる第１のコード・セットを含みうる。この少なくとも１つのデータ・シンボルが、高検出性パイロット機会としてスケジュールされる。コンピュータ読取可能媒体は、コンピュータに、このポジションにおいて高検出性パイロットを送信させ、少なくとも１つのデータ・シンボルのうちのその他のポジションの間は送信させないようにするための第２のコード・セットを含みうる。いくつかの態様によると、コンピュータ読取可能媒体は、コンピュータに、少なくとも１つのデータ・シンボルを、第２のデータ・シンボルと組み合わさせる第３のコード・セットを含む。
【００７０】
いくつかの態様によると、ＨＤＰのための専用リソースは、例えば、時間セグメント、周波数帯域、あるいは時間周波数ビンのような異なる形態でありうる。本明細書において説明されたように、専用時間周波数リソースは、Ｋ個のグループに区分化されうる。この区分は、全次元にわたる任意の直交ベースに基づいて実行されうる。その後、セクタは、Ｋ個のグループに区分化され、リソースおよびセクタの区分間の一対一の関連性が定義されうる。セクタの各グループは、（その他の時間においてではなく）リソースの自己に関連付けられた僅かな部分で、ＨＤＰを送信しうる。インクリメンタル検出は、モバイル・デバイスが、Ｋ個のグループより少ないＨＤＰ送信に基づいて、基地局検出および区分化を実行する場合を称する。ランダムなカラーリングが適用されるが、いくつかの態様によると、ランダムさの範囲を限定するために特定の条件が含まれうる。このように、ＨＤＰは、ＬＴＥおよびＵＭＰや、４Ｇや、その他のシステムのような、ＯＦＤＭシステムにまで拡張される。
【００７１】
図１０では、開示された態様の１又は複数に従って、高検出性パイロットの受信を容易にするシステム１０００が例示される。システム１０００は、ユーザ・デバイス内に存在しうる。システム１０００は、例えば、受信アンテナから信号を受信しうる受信機構成要素１００２を備える。受信機構成要素１００２は、受信された信号に、例えば、フィルタリング、増幅、ダウンコンバーティングすることのような、典型的な動作を実行しうる。受信機構成要素１００２は更に、調整された信号をデジタル化して、サンプルを取得しうる。復号器１００４は、各シンボル期間のために受信されたシンボルを取得するのに加えて、受信されたシンボルをプロセッサ１００６に提供しうる。
【００７２】
プロセッサ１００６は、受信機構成要素１００２によって受信された情報を分析すること、および／又は送信機１００８による送信のための情報を生成することのために設けられたプロセッサである。加えて、あるいは、代替的に、プロセッサ１００６は、システム１０００の１又は複数の構成要素を制御し、受信機構成要素１００２によって受信された情報を分析し、送信機１００８による送信のための情報を生成し、および／又は、システム１０００の１又は複数の構成要素を制御しうる。プロセッサ１００６は、追加のユーザ・デバイスとの通信を調整することができる制御構成要素を含みうる。
【００７３】
システム１０００は更に、動作可能なようにプロセッサ１００６に結合されたメモリ１０１０を備えうる。メモリ１０１０は、通信を調整することに関連する情報と、その他任意の適切な情報とを格納しうる。メモリ１０１０は更に、高検出性パイロットと関連付けられたプロトコルを格納しうる。システム１０００は更に、シンボル変調器１０１２を備える。ここにおいて、送信機１００８は、変調された信号を送信する。
【００７４】
図１１は、本明細書において示された様々な態様に従って、高検出性パイロットの送信を容易にするシステム１１００の例示である。システム１１００は、基地局あるいはアクセス・ポイント１１０２を備える。例示されたように、基地局１１０２は、受信アンテナ１１０６によって１又は複数の通信デバイス１１０４（例えば、ユーザ・デバイス）から信号を受信し、送信アンテナ１１０８によって１又は複数の通信デバイス１１０４に送信する。
【００７５】
基地局１１０２は、受信アンテナ１１０６から情報を受信し、動作可能なように、受信された情報を復調する復調器１１１２に関連付けられた受信機１１１０を備える。通信環境において高検出性パイロットを伝送することに関連する情報を格納するメモリ１１１６に結合されたプロセッサ１１１４によって、復調されたシンボルが分析される。変調器１１１８は、デバイス１１０４と通信するために、送信アンテナ１１０８を介した送信機１１２０による送信のために信号を多重化しうる。
【００７６】
プロセッサ１１１４は更に、ＨＤＰ機会として少なくとも１つのＯＦＤＭシンボルを提供し、このＨＤＰ機会に応じてＨＤＰ  Ｃｌｕｓｔｅｒにおける送信ポジションを決定するように構成された高検出性パイロット生成器１１２２に結合されている。ＨＤＰ機会は１つのＯＦＤＭシンボルであり、ＨＤＰ  Ｃｌｕｓｔｅｒにおける送信ポジションはＨＤＰ  Ｃｌｕｓｔｅｒ＝Ｈａｓｈ（ＣｅｌｌＧｒｏｕｐＩＤ＋ＣｌｕｓｔｅｒＩＤ）ｍｏｄＭという式によって決定されうる。いくつかの態様によると、ＨＤＰ機会は、２つのＯＦＤＭシンボルであり、より多くの収束時間をＡＧＣ（あるいは受信機）に提供する。各セクタは、１つのＨＤＰ  Ｃｌｕｓｔｅｒにおいて１つのＨＤＰ送信機会を有しうる。
【００７７】
図１２には、態様に従って、モバイル・デバイス・ポジショニングのために利用されうる高検出性パイロットを伝送する実例的なシステム１２００が例示される。システム１２００は、送信機あるいは基地局内に少なくとも部分的に存在しうる。システム１２００が、プロセッサ、ソフトウェア、あるはそれらの組合せ（例えば、ファームウェア）によって実現された機能を表す機能ブロックを含むように表されていることが認識されるべきである。
【００７８】
システム１２００は、個別にあるいは連携して動作しうる電子構成要素の論理グループ１２０２を含む。論理グループ１２０２は、高検出性パイロットの伝送のために少なくとも１つのデータ・シンボルのポジションを識別するための電子構成要素１２０４を含む。いくつかの態様によると、電子構成要素１２０４は、通信ネットワークから情報を取得する。ここにおいて、情報は、少なくとも１つのデータ・シンボルおよびその他のデータ・シンボルにおける複数のポジションに関連し、複数のポジションのうちの１つを選ぶ。いくつかの態様によると、電子構成要素１２０４は、セル・グループ識別情報に応じてポジションを識別する。いくつかの態様によると、電子構成要素１２０４は、ＨＤＰ  Ｃｌｕｓｔｅｒ＝Ｈａｓｈ（ＣｅｌｌＧｒｏｕｐＩＤ＋ＣｌｕｓｔｅｒＩＤ）ｍｏｄ  Ｍという式の関数のポジションを識別する。
【００７９】
論理グループ１２０２は更に、少なくとも１つのデータ・シンボルのポジションにおいて高検出性パイロットを伝送するための電子構成要素１２０６を含む。ここにおいて、高検出性パイロットは、ポジション決定のために、１又は複数の受信機に伝送される。電子構成要素１２０６は、少なくとも１つのデータ・シンボルのうちのその他のポジションあるいはその他のデータ・シンボルにおいては、高検出性パイロットを送信しない。これは、その他の送信機（例えば、基地局）からのパイロットを検出するための機会を受信機に与える。
【００８０】
いくつかの態様によると、論理グループ１２０２は、少なくとも１つのシンボルと第２のシンボルとからなる組合せを生成するための電子構成要素１２０８を含む。高検出性パイロットを伝送する手段は、この組合せの一部において、高検出性パイロットを送信する。
【００８１】
加えて、システム１２００は、電子構成要素１２０４、１２０６、１２０８と、あるいはその他の構成要素と関連付けられた機能を実行するための命令群を保持するメモリ１２１０を含みうる。電子構成要素１２０４、１２０６、１２０８のうちの１又は複数が、メモリ１２１０の外側にあるように図示されているが、メモリ１２１０内に存在しうるということが理解されるべきである。
【００８２】
図１３には、１又は複数の態様に従って、多元接続無線通信システム１３００が例示されている。無線通信システム１３００は、１又は複数のユーザ・デバイスと通信している１又は複数の基地局を含みうる。各基地局は、複数のセクタに対してカバレッジを提供する。３セクタ基地局１３０２は、複数のアンテナ・グループを含み、１つのアンテナ・グループはアンテナ１３０４、１３０６を含み、別のグループはアンテナ１３０８、１３１０を含み、第３のグループは１３１２、１３１４を含むように例示されている。図によると、各アンテナ・グループのために２つのアンテナしか示されていないが、より多くのあるいはより少ないアンテナが、各アンテナ・グループのために利用されうる。モバイル・デバイス１３１６は、アンテナ１３１２、１３１４と通信している。ここで、アンテナ１３１２、１３１４は、フォワード・リンク１３１８によってモバイル・デバイス１３１６に情報を送信し、リバース・リンク１３２０によってモバイル・デバイス１３１６から情報を受信する。フォワード・リンク（すなわち、下りリンク）は、基地局からモバイル・デバイスへの通信リンクを称し、リバース・リンク（すなわち、上りリンク）は、モバイル・デバイスから基地局への通信リンクを称する。モバイル・デバイス１３２２は、アンテナ１３０４、１３０６と通信している。ここで、アンテナ１３０４、１３０６はフォワード・リンク１３２４によってモバイル・デバイス１３２２に情報を送信し、リバース・リンク１３２６によって、モバイル・デバイス１３２２から情報を受信する。ＦＤＤシステムにおいて、例えば、通信リンク１３１８、１３２０、１３２４、１３２６は、通信のために異なる周波数を利用しうる。例えば、フォワード・リンク１３１８は、リバース・リンク１３２０によって利用される周波数とは異なる周波数を使用しうる。
【００８３】
アンテナの各グループおよび／あるは、それらが通信するように設計されているエリアは、基地局１３０２のセクタと称されうる。１又は複数の態様において、アンテナ・グループは、各々、基地局１３０２によってカバーされたセクタあるいはエリアにおいて、モバイル・デバイスと通信するように設計されている。基地局は、モバイル・デバイスと通信するために使用される固定局である。
【００８４】
フォワード・リンク１３１８、１３２４による通信において、基地局１３０２の送信アンテナは、異なるモバイル・デバイス１３１６、１３２２のためのフォワード・リンクの信号対雑音比を改善するために、ビームフォーミングを利用しうる。更に、カバレッジ・エリアにわたってランダムに散在するモバイル・デバイスに対して、ビームフォーミングを利用して送信する基地局は、カバレッジ・エリアにおける全てのモバイル・デバイスに対して、単一のアンテナによって送信する基地局に起因する干渉より少ない干渉しか、近隣セルにおけるモバイル・デバイスにもたらさない。
【００８５】
図１４は、様々な態様に従う、典型的な無線通信システム１４００を例示する。無線通信システム１４００は、簡潔さのために、１つの基地局と１つの端末しか図示しない。しかし、システム１４００が１より多い基地局あるいはアクセス・ポイントおよび／又は１より多い端末あるいはユーザ・デバイスを含みうることが認識されるべきである。ここにおいて、追加の基地局および／又は端末は、以下で説明される典型的な基地局および端末に類似しうる、あるいはそれらとは異なりうる。加えて、基地局および／又は端末が、本明細書に説明された様々な態様を用いて、無線通信を容易にする。
【００８６】
下りリンクでは、アクセス・ポイント１４０２において、送信（ＴＸ）データ・プロセッサ１４０４は、トラフィック・データを、受信、フォーマット、符号化、インタリーブ、および変調（あるいは、シンボル・マッピング）して、変調シンボル（「データ・シンボル」）を提供する。シンボル変調器１４０６は、データ・シンボルとパイロット・シンボルとを受信および処理して、シンボル・ストリームを提供する。シンボル変調器１４０６は、データおよびパイロット・シンボルを多重化し、Ｎ個の送信シンボルのセットを取得する。各送信シンボルは、データ・シンボルや、パイロット・シンボルや、あるいはゼロの信号値である。パイロット・シンボルは、各シンボル期間において、連続的に送信されうる。パイロット・シンボルは、周波数分割多重化（ＦＤＭ）されているか、直交周波数分割多重化（ＯＦＤＭ）されているか、時分割多重化（ＴＤＭ）されているか、周波数分割多重化（ＦＤＭ）されているか、あるいは符号化分割多重化（ＣＤＭ）されている。
【００８７】
送信ユニット（ＴＭＴＲ）１４０８は、シンボル・ストリームを受信し、１又は複数のアナログ信号にコンバートして、更に、アナログ信号を調整（増幅、フィルタ、周波数アップコンバートなど）して、無線チャネルによる送信に適切な下りリンク信号を生成する。下りリンク信号は、その後、アンテナ１４１０によって端末に送信される。端末１４１２において、アンテナ１４１４は下りリンク信号を受信し、受信された信号を受信機ユニット（ＲＣＶＲ）１４１６に提供する。受信機ユニット１４１６は、受信された信号を調整（例えば、フィルタ、増幅、周波数ダウンコンバートなど）して、調整された信号をデジタル化して、サンプルを取得する。シンボル復調器１４１８は、Ｎ個の受信されたシンボルを取得し、受信されたパイロット・シンボルを、チャネル推定のためにプロセッサ１４２０に提供する。シンボル復調器１４１８は更に、プロセッサ１４２０から下りリンクについての周波数応答推定値を受信し、受信されたデータ・シンボルにデータ復調を実行して、データ・シンボル推定値（送信されたデータ・シンボルの推定値）を取得する。更に、シンボル復調器１４１８は、ＲＸデータ・プロセッサ１４２２にデータ・シンボル推定値を提供する。これは、データ・シンボル推定値を復調（例えば、シンボル・デマッピング）、デインタリーブ、および復号して、送信されたトラフィック・データを復元する。シンボル復号器１４１８およびＲＸデータ・プロセッサ１４２２による処理は、それぞれ、アクセス・ポイント１４０２におけるシンボル復調器１４０６およびＴＸデータ・プロセッサ１４０４による処理に対して相補的である。
【００８８】
上りリンクにおいて、ＴＸデータ・プロセッサ１４２４は、トラフィック・データを処理し、データ・シンボルを提供する。シンボル変調器１４２６は、パイロット・シンボルを用いてデータ・シンボルを受信および多重化し、変調を実行し、シンボル・ストリームを提供する。送信機ユニット１４２８は、シンボル・ストリームを受信および処理して、上りリンク信号を生成する。これは、アンテナ１４１４によってアクセス・ポイント１４０２に送信される。
【００８９】
アクセス・ポイント１４０２において、端末１４１２からの上りリンク信号がアンテナ１４１０によって受信され、受信ユニット１４３０によって処理されて、サンプルが取得される。シンボル復調器１４３２は、その後、このサンプルを処理して、受信されたパイロット・シンボルおよび上りリンクについてのデータ・シンボル推定値を提供する。ＲＸデータ・プロセッサ１４３４は、データ・シンボル推定値を処理して、端末１４１２によって送信されたとトラフィック・データを復元する。プロセッサ１４３６は、上りリンクで送信する各アクティブ端末のためにチャネル推定を実行する。
【００９０】
プロセッサ１４３６、１４２０は、アクセス・ポイント１４０２および端末１４１２における動作をそれぞれ指示（例えば、制御、調整、管理など）する。それぞれのプロセッサ１４３６、１４２０は、プログラム・コードおよびデータを格納するメモリ・ユニット（図示せず）に関連付けられうる。プロセッサ１４３６、１４２０は更に、計算を実行して、上りリンクおよび下りリンクについて周波数応答推定値およびインパルス応答推定値をそれぞれ導出しうる。
【００９１】
多元接続システム（例えば、ＦＤＭＡ、ＯＦＤＭＡ、ＣＤＭＡ、ＴＤＭＡなど）では、複数の端末が上りリンクで同時に送信しうる。このようなシステムでは、パイロット・サブ帯域が、異なる端末間で共有されうる。各端末のためのパイロット・サブ帯域が、（おそらく帯域の端を除く）動作帯域全体にわたっている場合において、チャネル推定技術が使用されうる。このようなパイロット・サブ帯域構造は、各端末のために周波数ダイバーシチを得るために望ましいだろう。本明細書において説明された技術は、様々な手段によって実施されうる。例えば、この技術は、ハードウェア、ソフトウェア、あるいはそれら任意の組合せにおいて実施されうる。ハードウェアにおける実施では、１あるいは複数のアプリケーション特有集積回路（ＡＳＩＣ）、デジタル信号プロセッサ（ＤＳＰ）、デジタル信号処理デバイス（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、本明細書において説明される機能を実行するように設計されたその他の電子ユニット、あるいはそれらの組合せ内で、チャネル推定のために使用される処理ユニットが実現されうる。ソフトウェアでは、本明細書において説明される機能を実行するモジュール（例えば、手順、機能など）によって実施がなされうる。ソフトウェア・コードは、メモリ・ユニットに格納され、プロセッサ１４３６、１４２０によって実行されうる。
【００９２】
本明細書において説明された態様は、ハードウェア、ソフトウェア、ファームウェア、あるいはそれら任意の組合せで実現されうるということが理解されるべきである。ソフトウェアにおいて実現される場合、機能は、１あるいは複数の命令群あるいはコードとして、コンピュータ読取可能媒体に格納されうる、もしくはそれによって送信されうる。コンピュータ読取可能媒体は、コンピュータ記憶媒体と、ある場所から別の場所へのコンピュータ・プログラムの転送を容易にする任意の媒体を含む通信媒体との両方を含む。記憶媒体は、汎用又は専用コンピュータによってアクセスされうる任意の利用可能な媒体である。限定ではなく例として、このようなコンピュータ読取可能媒体は、ＲＡＭや、ＲＯＭや、ＥＥＰＲＯＭや、ＣＤ−ＲＯＭもしくはその他の光ディスク記憶装置や、磁気ディスク記憶装置もしくはその他の磁気記憶デバイスや、あるいは命令群もしくはデータ構造の形態で希望のプログラム・コードを伝達するあるいは格納するために使用され、汎用又は専用コンピュータ、あるいは汎用又は専用プロセッサによって処理されうる、その他任意の媒体を備えうる。更に、任意のコネクションが、コンピュータ読取可能媒体と適切に称される。例えば、同軸ケーブルや、光ファイバ・ケーブルや、ツイスト・ペアや、デジタル加入者回線（ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバ・ケーブルや、ツイスト・ペアや、ＤＳＬや、あるいは赤外線、無線、及びマイクロ波のような無線技術は、媒体の定義に含まれる。本明細書で使用されるようなディスク（ｄｉｓｋ）及びディスク（ｄｉｓｃ）は、コンパクト・ディスク（ＣＤ）（ｄｉｓｃ）、レーザ・ディスク（ｄｉｓｃ）、光学ディスク、デジタル・バーサタイル・ディスク（ＤＶＤ）（ｄｉｓｋ）、フロッピー（登録商標）ディスク（ｄｉｓｋ）及びブルーレイ（登録商標）ディスク（ｄｉｓｃ）を含む。ここで、ディスク（ｄｉｓｋ）は通常データを磁気的に再生する一方、ディスク（ｄｉｓｃ）はレーザを用いてデータを光学的に再生する。上記のものによる組合せも、コンピュータ読取可能媒体の範囲内に含まれるべきである。
【００９３】
本明細書で開示された態様に関連付けて説明された多様な実例的な論理ブロック、モジュール、および回路は汎用プロセッサ、デジタル信号プロセッサ（ＤＳＰ）、アプリケーション特有集積回路（ＡＳＩＣ）、フィールド・プログラマブル・ゲート・アレイ（ＦＰＧＡ）あるいは他のプログラマブル・ロジック・デバイス、離散ゲートもしくはトランジスタ・ロジック、離散ハードウェア構成要素、あるいは本明細書で説明された機能を実行するために設計されたそれらの任意の組合せによって実施あるいは実行されうる。汎用プロセッサはマイクロプロセッサでありうるが、別の方法としては、プロセッサは従来型の任意のプロセッサ、コントローラ、マイクロコントローラ、あるいはステート・マシンでありうる。プロセッサは例えば、ＤＳＰおよびマイクロプロセッサの組み合わせ、複数のマイクロ・プロセッサ、ＤＳＰコアと連携した１つあるいは複数のマイクロプロセッサ、あるいはその他の任意の構成のようなコンピューティング・デバイスとしても実施されうる。加えて、少なくとも１つのプロセッサは、本明細書において説明された１又は複数のステップおよび／あるはアクションを実行するように動作可能な１又は複数のモジュールを備えうる。
【００９４】
ソフトウェアにおける実施では、本明細書において説明された技術は、本明細書において説明された機能を実行する（例えば、手順、機能などのような）モジュールを用いて実施されうる。ソフトウェア・コードは、メモリ・ユニットに格納され、プロセッサによって実行されうる。メモリ・ユニットは、プロセッサ内に、あるいはプロセッサの外側に実装されうる。外側の場合、メモリ・ユニットは、当該技術分野において周知の様々な手段によって、プロセッサに通信可能なように結合されうる。更に、少なくとも１つのプロセッサは、本明細書において説明された機能を実行するように動作可能な１又は複数のモジュールを含みうる。
【００９５】
本明細書において説明された技術は、ＣＤＭＡ、ＴＤＭＡ、ＦＤＭＡ、ＯＦＤＭＡ、ＳＣ−ＦＤＭＡおよびその他のシステムのような、様々な無線通信システムのために使用されうる。用語「システム」および「ネットワーク」は、しばしば置換可能に使用される。ＣＤＭＡネットワークは、ユニバーサル地上ラジオ・アクセス（ＵＴＲＡ）やｃｄｍａ２０００などのようなラジオ技術を実現しうる。ＵＴＲＡは、広帯域ＣＤＭＡ（Ｗ−ＣＤＭＡ）およびＣＤＭＡのその他の変形を含む。ｃｄｍａ２００は、ＩＳ−２０００規格、ＩＳ−９５規格、ＩＳ−８５６規格をカバーする。ＴＤＭＡシステムは、グローバル・システム・フォー・モバイル・コミュニケーション（ＧＳＭ（登録商標））のような無線技術を実現しうる。ＯＦＤＭＡシステムは、例えば、発展型ＵＴＲＡ（Ｅ−ＵＴＲＡ）、ウルトラ・モバイル・ブロードキャスト（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０．Ｆｌａｓｈ−ＯＦＤＭ（登録商標）などのような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを使用するＵＭＴＳの最新リリースである。これは、下りリンクでＯＦＤＭＡを用いて、上りリンクでＳＣ−ＦＤＭＡを用いる。ＵＴＲＡ、Ｅ−ＵＴＲＡ、ＵＭＴＳ、ＬＴＥ、およびＧＳＭは第３世代パートナシップ・プロジェクト（３ＧＰＰ）と命名された団体からの文書において説明される。加えて、ＣＤＭＡ２０００およびＵＭＢは、「第３世代パートナシップ・プロジェクト２」（３ＧＰＰ２）と命名された団体からの文書において説明される。更に、このような無線通信システムは、追加的に、不対無認可スペクトル、８０２．ｘｘ無線ＬＡＮ、ＢＬＵＥＴＯＯＴＨ（登録商標）、およびその他任意の近距離あるいは長距離無線通信技術をしばしば使用するピア・ツー・ピア（例えば、モバイル・ツー・モバイル）のアドホック・ネットワーク・システムを含む。
【００９６】
単一キャリア変調と周波数領域等値化を利用する単一キャリア周波数分割多元接続（ＳＣ−ＦＤＭＡ）は、開示された態様を用いて利用されうる技術である。ＳＣ−ＦＤＭＡはＯＦＤＭＡシステムのものと類似の性能と本質的に類似した総合複雑性とを有している。ＳＣ−ＦＤＭＡ信号はその固有の単一キャリア構造のためにより低いピーク対平均電力比（ＰＡＰＲ）を有している。特により低いＰＡＰＲが送信電力効率の点において移動端末に利点を与える上りリンク通信において、ＳＣ−ＦＤＭＡが利用されうる。  更に、本明細書において説明された様々な態様あるいは機能は、標準的なプログラミング技術及び／あるいはエンジニアリング技術を用いた方法、装置、あるいは製造物品として実現されうる。本明細書で使用される用語「製造物品」は、任意のコンピュータ読取可能デバイス、キャリア、あるいは媒体からアクセス可能なコンピュータ・プログラムを含むことが意図される。例えば、コンピュータ読取可能媒体は、（例えば、ハード・ディスク、フロッピー（登録商標）・ディスク、磁気ストリップなどのような）磁気ストレージ・デバイス、（例えば、コンパクト・ディスク（ＣＤ）やデジタル・バーサタイル・ディスク（ＤＶＤ）などのような）光学ディスク、スマート・カード、（例えば、ＥＰＲＯＭ、カード、スティックなどのような）フラッシュ・メモリ・デバイスを含みうるが、それらに限定されない。加えて、本明細書において説明された様々な記憶媒体は、１又は複数のデバイスおよび／又は情報を格納するその他の機械読取可能媒体を表しうる。用語「機械読取可能媒体」は、無線チャネルと、命令群および／又はデータを格納、包含、および伝送できるその他様々な媒体とを含みうるが、それらに限定されない。更に、コンピュータ・プログラム製品は、コンピュータに、本明細書において説明された機能を実行させるように動作可能な１又複数の命令群あるいはコードを有するコンピュータ読取可能媒体を含みうる。
【００９７】
更に、本明細書において開示された実施形態に関連付けて説明された方法あるいはアルゴリズムのステップ及び／あるいはアクションは、直接的にハードウェアにおいて、プロセッサによって実行されるソフトウェア・モジュールにおいて、あるいはそれらの組合せにおいて実施されうる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野において周知のその他任意の形態の記憶媒体に存在しうる。典型的な記憶媒体は、記憶媒体からの情報を読み取り、記憶媒体に情報を書き込むことができるプロセッサのようなプロセッサと結合されうる。別の方法としては、記憶媒体はプロセッサに統合されうる。更に、いくつかの態様において、プロセッサおよび記憶媒体はＡＳＩＣ内に存在しうる。加えて、ＡＳＩＣはユーザ端末内に存在しうる。別の選択肢として、プロセッサおよび記憶媒体は離散的な構成要素としてユーザ端末内に存在しうる。加えて、いくつかの態様において、方法あるいはアルゴリズムのステップ及び／あるいは動作は、コードおよび／又は命令群のうちの１つ、あるいは任意の組合せもしくはセットとして機械読取可能媒体及び／あるいはコンピュータ読取可能媒体上に存在しうる。これは、コンピュータ・プログラム製品に組み込まれうる。
【００９８】
前述の開示が例示的な態様および／又は実施形態を説明している一方で、添付された請求項によって定義されて説明された態様および／又は実施形態の範囲から逸脱することなく、様々な変更及び変形例が本明細書においてなされうるということが留意されるべきである。従って、説明された態様は、添付された特許請求の範囲内に含まれるこのような修正、変形例、バリエーション全てを含むように意図されている。更に、説明された態様および／又は実施形態におけるエレメントが単数形で、説明あるいは権利主張されているが、単数形に限定されると明白に述べられていない限りは、複数が考慮される。加えて、任意の態様および／又は実施形態の全てあるいは一部が、そうではないと述べられていない限り、その他任意の態様および／又は実施形態の全てあるいは一部で利用されうる。
【００９９】
用語「含む」が詳細な説明あるいは特許請求の範囲の何れかにおいて使用される場合に、このような用語は、用語「備える」と類似して、「備える」が請求項において、遷移語として用いられる場合のように包括的であることが意図されている。更に、用語「あるいは／又は（ｏｒ）」は、詳細な説明あるいは特許請求の範囲の何れかにおいて使用される場合に、排他的な「あるいは／又は」ではなく、包括的な「あるいは／又は」を意味するよう意図されている。すなわち、そうではないと明記されない限り、あるいはコンテキストから明らかではないか限り、フレーズ「Ｘは、ＡあるいはＢを用いる」は、通常の包括的な置換の何れかを意味するよう意図されている。すなわち、フレーズ「Ｘは、ＡあるいはＢを用いる」は、ＸはＡを用いる、ＸはＢを用いる、あるいは、ＸはＡとＢの両方を用いる、の何れかによって満たされる。加えて、本願および添付の特許請求の範囲において使用されるような冠詞「ａ」および「ａｎ」は、そうではないと明記されていない限り、あるいは、コンテキストから明らかでない限り、単数形を示しているものと一般に解釈されるべきである。
以下に、本願出願の当初の特許請求の範囲に記載された発明を付記する。
［発明１］
通信ネットワークにおいて利用される方法であって、
高検出性パイロットを送信するための少なくとも１つのシンボルを決定することと、
前記少なくとも１つのシンボルのうちの一部において、前記高検出性パイロットを送信することとを実施するために、
コンピュータ読取可能媒体に格納されたコンピュータ実行可能命令群を実行するプロセッサを用いることを備え、
前記少なくとも１つのシンボルは、少なくとも１つのデータ・シンボルである方法。
［発明２］
前記少なくとも１つのシンボルのうちのその他の部分の間、およびその他のシンボルの間は、送信しないと決定することを更に備える発明１に記載の方法。
［発明３］
前記高検出性パイロットを送信するための少なくとも１つのシンボルを決定することは、セル・グループ識別情報に応じている発明１に記載の方法。
［発明４］
前記高検出性パイロットを送信するための少なくとも１つのシンボルを決定することは、前記通信ネットワークから命令を受信して、前記少なくとも１つのシンボルを使用することを備える発明１に記載の方法。
［発明５］
前記高検出性パイロットを送信するための少なくとも１つのシンボルを決定することは、
前記少なくとも１つのシンボルと第２のシンボルとからなる組合せを生成することと、
前記組合せの一部において、前記高検出性パイロットを送信することと
を備える発明１に記載の方法。
［発明６］
無線通信装置であって、
高検出性パイロットを送信するための、少なくとも１つのシンボルのうちの一部を識別することと、前記少なくとも１つのシンボルのうちの一部において、無線ネットワークにおける受信機に対して前記高検出性パイロットを送信することとに関連する命令群を保持するメモリと、
前記メモリに結合され、前記メモリに保持された命令群を実行するように構成されたプロセッサと
を備える装置。
［発明７］
前記少なくとも１つのシンボルのうちの一部を識別することに関連する命令群はｎ個のスロットのセットの中から選び、前記メモリは更に、選ばれなかったｎ個のスロットの間、送信しないことに関連する命令群を保持する発明６に記載の無線通信装置。
［発明８］
前記少なくとも１つのシンボルのうちの一部を識別することに関連する命令群は、セル・グループ識別情報を利用して、前記少なくとも１つのシンボルのうちの一部を確認する発明６に記載の無線通信装置。
［発明９］
前記メモリは更に、前記無線ネットワークから情報を受信することに関連する命令群を保持し、前記命令群は、前記少なくとも１つのシンボルの識別情報を提供する発明６に記載の無線通信装置。
［発明１０］
前記少なくとも１つのシンボルのうちの一部を識別することに関連する命令群は、前記少なくとも１つのシンボルをランダムに選ぶ発明６に記載の無線通信装置。
［発明１１］
前記メモリは更に、前記少なくとも１つのシンボルと第２のシンボルとを組み合わせて、２つのシンボルからなる組合せを生成することと、
前記２つのシンボルの組合せの一部において、前記高検出性パイロットを送信することとに関連する命令群を保持する
発明６に記載の無線通信装置。
［発明１２］
通信ネットワークにおいて、高検出性パイロットを伝送する無線通信装置であって、
前記高検出性パイロットの送信のための、少なくとも１つのデータ・シンボルのポジションを識別する手段と、
前記少なくとも１つのデータ・シンボルのポジションにおいて、前記高検出性パイロットを伝送する手段とを備え、
前記高検出性パイロットは、前記ポジションの識別のために１又は複数の受信機に伝送される装置。
［発明１３］
前記高検出性パイロットを伝送する手段は、前記少なくとも１つのデータ・シンボルのうちのその他のポジション、あるいはその他のデータ・シンボルにおいて、前記高検出性パイロットを送信しない発明１２に記載の無線通信装置。
［発明１４］
前記高検出性パイロットの送信のための、少なくとも１つのデータ・シンボルのポジションを識別する手段は、前記少なくとも１つのデータ・シンボルにおける複数のポジションとその他のデータ・シンボルとに関連する情報を前記通信ネットワークから取得し、前記複数のポジションのうちの１つを選ぶ発明１２に記載の無線通信装置。
［発明１５］
前記高検出性パイロットの送信のための、少なくとも１つのデータ・シンボルのポジションを識別する手段は、セル・グループ識別情報に応じて、前記ポジションを識別する発明１２に記載の無線通信装置。
［発明１６］
前記少なくとも１つのデータ・シンボルと第２のデータ・シンボルとからなる組合せを生成する手段を更に備え、前記高検出性パイロットを伝送する手段は、前記組合せの一部において前記高検出性パイロットを送信する発明１２に記載の無線通信装置。
［発明１７］
コンピュータに、少なくとも１つのデータ・シンボルにおけるポジションを選択させる第１のコード・セットと、
前記コンピュータに、前記ポジションにおいて高検出性パイロットを送信させ、前記少なくとも１つのデータ・シンボルのうちのその他のポジションの間は送信しないようにさせる第２のコード・セットと
を備えるコンピュータ読取可能媒体を備え、
前記少なくとも１つのデータ・シンボルは、高検出性パイロット機会としてスケジュールされるコンピュータ・プログラム製品。
［発明１８］
前記コンピュータ読取可能媒体は更に、前記コンピュータに、前記少なくとも１つのデータ・シンボルを第２のデータ・シンボルと組み合わさせる第３のコード・セットを備える発明１７に記載のコンピュータ・プログラム製品。
［発明１９］
モバイル・デバイス位置決定のために高検出性パイロットを送信するように構成された少なくとも１つのプロセッサであって、
少なくとも１つのデータ・シンボルにおけるポジションを選択するための第１のモジュールと、
前記ポジションの間に高検出性パイロットを伝送し、前記少なくとも１つのデータ・シンボルのうちのその他のポジションの間はサイレント状態に留まるための第２のモジュールと
を備える少なくとも１つのプロセッサ。
［発明２０］
前記少なくとも１つのデータ・シンボルと、第２のデータ・シンボルとを組み合わせて、組合せを生成するための第３のモジュールを更に備え、前記第１のモジュールは、前記組合せにおけるポジションを選択し、前記第２のモジュールは、前記組合せにおけるポジジョンにおいて、前記高検出性パイロットを伝送する発明１９に記載の少なくとも１つのプロセッサ。
【図１】
0005490807.tif 000002
【図２】
0005490807.tif 000003
【図３】
0005490807.tif 000004
【図４】
0005490807.tif 000005
【図５】
0005490807.tif 000006
【図６】
0005490807.tif 000007
【図７】
0005490807.tif 000008
【図８】
0005490807.tif 000009
【図９】
0005490807.tif 000010
【図１０】
0005490807.tif 000011
【図１１】
0005490807.tif 000012
【図１２】
0005490807.tif 000013
【図１３】
0005490807.tif 000014
【図１４】
0005490807.tif 000015